(57)【要約】【課題】  加温前の水と加温された水との成層が明確に形成されるように給水することができ、貯湯タンク内に安定した温度の温水を常時貯湯する。【解決手段】  発熱体４を有する貯湯タンク２の下部に配置した、水を補給する給水管６と、給水管６の吐出口１０の前方に、吐出口１０の水の吐出方向に対して直交するように配置したバッファプレート７と、吐出口１０とバッファプレート７とを覆うように、下方へ向けた開口部１４を有する略筒形状の水勢規制筒８と、を備えた。【選択図】  図２
2005351577.tif 000002
【特許請求の範囲】
【請求項１】
発熱体（４）を有する貯湯タンク（２）の下部に配置した、水を補給する給水管（６）と、
該給水管（６）の吐出口（１０）の前方に、該吐出口（１０）の水の吐出方向に対して直交するように配置したバッファプレート（７）と、
前記吐出口（１０）と前記バッファプレート（７）とを覆うように、下方へ向けた開口部（１４）を有する略筒形状の水勢規制筒（８）と、
を備えた、ことを特徴とする貯湯式電気温水器の給水構造。
【請求項２】
前記バッファプレート（７）は、前記給水管（６）の吐出口（１０）の内径より長い直径を有する略円板状の部材である、ことを特徴とする請求項１の貯湯式電気温水器の給水構造。
【請求項３】
前記水勢規制筒（８）は、前記吐出口（１０）の吐出方向に向けて筒体（１２）を形成し、その一端に前記バッファプレート（７）面と略平行になる当て板（１３）を有し、該当て板（１３）に当てた水を下方へ流出させる開口部（１４）を前記筒体（１２）に形成したものである、ことを特徴とする請求項１の貯湯式電気温水器の給水構造。
【請求項４】
前記バッファプレート（７）は、前記給水管（６）の吐出口（１０）側が平坦で、その裏面が略半球形状をした部材である、ことを特徴とする請求項１の貯湯式電気温水器の給水構造。
【発明の詳細な説明】
【技術分野】
【０００１】
本発明は、貯湯タンク内に発熱体を設けた貯湯式電気温水器に係り、特に貯湯タンク内に水を補給するための貯湯式電気温水器の給水構造に関するものである。
【背景技術】
【０００２】
貯湯式電気温水器は、電気料金の安い夜間電力を利用して沸かした温水を貯湯タンクに貯蔵しておき、昼間のピーク時にその温水を使用するものである。この貯湯タンクの形状及び配置に関する先行技術としては、特許文献１の特開２００４−１０１０９８公報に示すように、貯湯タンクを横方向又は縦方向の何れにも並列できるように、複数に分割してユニット化し、設置しやすいように、この貯湯タンクは例えば６４リットル程度は貯蔵できるように、全体を薄型の扁平形状に形成し、タンクの周囲に断熱材を貼り付けた構造のものが提案されている。
【特許文献１】特開２００４−１０１０９８
【発明の開示】
【発明が解決しようとする課題】
【０００３】
しかし、従来の貯湯タンクでは、その内部の温水を使用して減量したときに、給水管から冷たい水を補給するときに、温水と冷水が混合して温水の温度が不均一になり、温度成層が形成されないことがあった。このように温度成層が形成されていない貯湯タンクから供給される温水は、熱湯とぬるま湯が交じり合ったものとなるために、快適に温水を使用できないという問題を有していた。
【０００４】
本発明は、かかる問題点を解決するために創案されたものである。すなわち、本発明の目的は、加温前の水と加温された水との成層が明確に形成されるように給水することができ、貯湯タンク内に安定した温度の温水を常時貯湯することができる貯湯式電気温水器の給水構造を提供することにある。
【課題を解決するための手段】
【０００５】
本発明によれば、発熱体（４）を有する貯湯タンク（２）の下部に配置した、水を補給する給水管（６）と、該給水管（６）の吐出口（１０）の前方に、該吐出口（１０）の水の吐出方向に対して直交するように配置したバッファプレート（７）と、前記吐出口（１０）と前記バッファプレート（７）とを覆うように、下方へ向けた開口部（１４）を有する略筒形状の水勢規制筒（８）と、を備えた、ことを特徴とする貯湯式電気温水器の給水構造が提供される。
【０００６】
前記バッファプレート（７）は、前記給水管（６）の吐出口（１０）の内径より長い直径を有する略円板状の部材である。
前記水勢規制筒（８）は、前記吐出口（１０）の吐出方向に向けて筒体（１２）を形成し、その一端に前記バッファプレート（７）面と略平行になる当て板（１３）を有し、該当て板（１３）に当たった水を下方へ流出させる開口部（１４）を前記筒体（１２）に形成したものである。
【０００７】
前記バッファプレート（７）は、前記給水管（６）の吐出口（１０）側が平坦で、その裏面が略半球形状をした部材とすることができる。
【発明の効果】
【０００８】
上記構成の発明では、給水管（６）から吐出された補給水は、先ずバッファプレート（７）に当接して乱流となり、その水勢を減衰させることができる。この乱流となった補給水は水勢規制筒（８）の当て板（１３）に当り、そこから開口部（１４）を通過して下方へ流出させられる。これにより、加温前の水と加温中の水との成層が明確に形成され、短時間に大量の温水を供給して同時に水を補給するときにも、安定した温度の温水を貯湯し、かつ供給することができる。貯湯タンク（２）内に形成された温度成層を乱すことなく水を補給することができる。
また、補給する水の温度成層性能を向上させることができるので、貯湯タンク（２）の外形寸法を小さくすることができる。
【発明を実施するための最良の形態】
【０００９】
本発明は、貯湯タンクの下部に、水を補給する給水管を配置し、この給水管の吐出口寄りに、その水の吐出方向に対して直交するようにバッファプレートを配置し、更にこの吐出口とバッファプレートとを覆うように、下方へ向けた開口部を有する略筒形状の水勢規制筒とを備えたものである。
【００１０】
以下、本発明の好ましい実施の形態を図面を参照して説明する。
図１は本発明の給水構造を構成する貯湯式電気温水器の貯湯タンクの内部構造を示す正断面図である。
本発明の貯湯式電気温水器１の貯湯タンク２は、例えば１２０リットル程度の温水を貯蔵できるように、全体を薄型の扁平形状に形成し、その周囲に断熱材３を貼り付けたものである。この貯湯タンク２は、合成樹脂製のブロー成型により製造する。例えば、ＰＰＥ（ポリフェノールエチレン）等の合成樹脂材を用いる。本発明では  建築構造体への負担を軽減するために、貯湯タンク２を軽量化してある。但し、タンクとして常時０．１ＭＰａの耐圧力、常時８５℃から最高１００℃程度の耐熱性能を有する合成樹脂材であれば、このＰＰＥに限定されず他の合成樹脂材に種々変更できる。
【００１１】
貯湯タンク２の内部には、電気料金の安い夜間電力を利用して湯を沸かすための発熱体４と、湯温センサ、過昇防止サーモ等を配置してある。貯湯タンク２の外部には、略扁平形状の壁面５の周囲に真空断熱材等の断熱材３で包み込んだものである。この断熱材３は、１３時間放置後の温度低下が２０度未満を満足する程度の素材が必要である。なお、貯湯タンク２の内部構造は、発熱体４等の配置は、図示例の構造に限定されない。
【実施例１】
【００１２】
図２は本発明の実施例１の給水構造を示す拡大側断面図である。図３は実施例１の給水構造を示す拡大正断面図である。
実施例１の給水構造は、貯湯タンク２の下部に、水を補給する給水管６とバッファプレート７と水勢規制筒８とを配置したものである。給水管６は、貯湯タンク２のフランジ９に取り付け、この給水管６の吐出口１０寄りに、この吐出口１０の水の吐出方向に対して直交するようにバッファプレート７を配置した。この吐出口１０とバッファプレート７とを覆うように、下方へ向けた開口部１４を有する略筒形状の水勢規制筒８をフランジ９に取り付けたものである。
【００１３】
バッファプレート７は、給水管６の吐出口１０の内径より長い直径を有する略円板状の部材である。このバッファプレート７は複数本の取付脚１１でフランジ９に取り付けたものである。この吐出口１０の内径と、バッファプレート７の内径との組み合わせは、補給する水を層流から乱流にする状態を形成できる範囲であれば可変できる。
【００１４】
水勢規制筒８は、吐出口１０の吐出方向に向けて筒体１２を形成し、その一端にバッファプレート７面と略平行になる当て板１３を有し、この当て板１３に当たった水を下方へ流出させる開口部１４を筒体１２に形成したものである。この筒体１２における開口部１４の形成位置は、乱流になった補給水を円滑に貯湯タンク２の底部に流出できる位置であれば可変できる。
【００１５】
このように構成した給水構造では、給水管６から吐出された補給水は、図２の矢視線  のように、先ずバッファプレート７に当接して乱流となり、その水勢を減衰させる。この乱流となった補給水は水勢規制筒８の当て板１３に当り、そこから開口部１４を通過して下方へ流出させられる。これにより、加温前の水と加温中の水との成層が明確に形成され、短時間に大量の温水を供給して同時に水を補給するときにも、安定した温度の温水を貯湯し、かつ供給することができる貯湯タンク内に形成された温度成層を乱すことなく水を補給することができる。
【００１６】
特に、給水構造は、貯湯タンク２の下部において、補給する水がバッファプレート７面に当接し、乱流となった補給水が更に水勢規制筒８で下方へ流出するように配置したものであれば、上述した構成に限定されない。例えば、バッファプレート７は円形である必要はなく、例えば八角形状に形成することができる。また、水勢規制筒８の筒体１２も略円筒形状に形成する必要はなく、略三角柱状や多角柱状に形成することができる。
【実施例２】
【００１７】
図４は本発明の実施例２の給水構造を示す拡大側断面図である。
実施例２の給水構造のバッファプレート７は、給水管６の吐出口１０側は平坦面で補給水を乱流とし、その裏面の略半球形状面で円滑に水勢規制筒８の当て板１３まで移動させることによりその水勢を減衰させることができ、補給水を安定した状態で給水することができる。
【００１８】
なお、本発明は、補給する水が下方へ流入するように給水構造（バッファプレート、水勢規制筒）を貯湯タンク２に配置した構成であれば、上述した発明の実施の形態に限定されず、本発明の要旨を逸脱しない範囲で種々変更できることは勿論である。
【産業上の利用可能性】
【００１９】
本発明の貯湯式電気温水器の給水構造は、主に全体が薄型の扁平形状の貯湯タンク２に利用することができるが、従来の縦型の円筒形状の貯湯タンク等にも利用することができる。
【図面の簡単な説明】
【００２０】
【図１】本発明の給水構造を構成する貯湯式電気温水器の貯湯タンクの内部構造を示す正断面図である。
【図２】本発明の実施例１の給水構造を示す拡大側断面図である。
【図３】実施例１の給水構造を示す拡大正断面図である。
【図４】実施例２の給水構造を示す拡大側断面図である。
【符号の説明】
【００２１】
１  貯湯式電気温水器
２  貯湯タンク
４  発熱体
６  給水管
７  バッファプレート
８  水勢規制筒
１０  吐出口
１４  開口部
１２  筒体
１３  当て板
【図１】
2005351577.tif 000003
【図２】
2005351577.tif 000004
【図３】
2005351577.tif 000005
【図４】
2005351577.tif 000006